(57)【要約】      （修正有）【課題】複数のメモリーカードを、自身の好みごとに分別収納することができ紛失してしまう恐れが少ないメモリーカードケースを提供する。【解決手段】メモリーカードケース１０は、薄型方形状のケース本体１１内に、複数のメモリーカード収納部１２を画成する複数の枠体を備えている。枠体は互いに直交するように配設され、各枠体にはメモリーカード１４に格納された情報を示す表示部１５が配設可能に形成されている。また、ケース１０は、円盤状記録媒体を収納するケースであると共に、メモリーカード１４はＳＤカードである。枠体は、四方外端部１７及び中間部１８を画成する５本の太径枠体と、太径枠体に直交して配設され、メモリーカード収納部１２を形成する細径枠体とを有する。【選択図】図１
0003182072.tif 000002
【実用新案登録請求の範囲】
【請求項１】
薄型方形状のケース本体内に、複数のメモリーカード収納部を画成する複数の枠体を備えたことを特徴とするメモリーカードケース。
【請求項２】
上記枠体は互いに交差するように配設されていることを特徴とする請求項  １記載のメモリーカードケース。
【請求項３】
上記枠体は互いに直交するように配設され、各枠体にはメモリーカードに格納された情報を示す表示部が配設可能に形成されていることを特徴とする請求項１記載のメモリーカードケース。
【請求項４】
上記ケースは、円盤状記録媒体を収納するケースであると共に、上記メモリーカードはＳＤカードであることを特徴とする請求項１記載のメモリーカードケース。
【請求項５】
上記ＳＤカードはケースに収納されていることを特徴とする請求項４記載のメモリーカードケース。
【請求項６】
上記各メモリーカード収納部には、ＳＤカード本体を固定しうる係合突起が設けられていることを特徴とする請求項１記載のメモリーカードケース。
【請求項７】
上記枠体は、四方外端部及び中間部を画成する５本の太径枠体と、上記太径枠体に直交して配設され、メモリーカード収納部を形成する細径枠体とを有することを特徴とする請求項１記載のメモリーカードケース。
【考案の詳細な説明】
【技術分野】
【０００１】
本考案は、メモリーカードケースに関する。
【背景技術】
【０００２】
従来より、メモリーカードを平板状の盤体の一方の面より嵌め込むためにメモリーカードの外形に合う形の孔部が１つ乃至複数形成されている盤体を備えたメモリーカードケースがある。
【０００３】
上記メモリーカードケースはさらに、上記メモリーカードを保持した盤体を１枚収納できるように、偏平な本体部と蓋体とからなるケースを備えてなることを特徴とするメモリーカードケースが開示されている。（特許文献１）
【０００４】
このようなメモリーカードケースによれば、盤体の孔部もしくは凹部にメモリーカードを嵌め込んで保持し、この状態でケースに収納するように構成されているので、メモリーカードなどを保管するに際し、紛失する恐れが少なくすることができる。
【特許文献１】特開２００７−２４１５８１号
【考案の開示】
【考案が解決しようとする課題】
【０００５】
しかしながら、上記のようなメモリーカードホルダーでは、本体部と蓋体とからなるケースであるため、上記本体部にメモリーカードを保持した盤体を取り付ける必要がある。
【０００６】
したがって、メモリーカードを盤体に保持しても本体部に取り付け忘れをしてしまうと、盤体を紛失してしまいメモリーカードの紛失にも繋がってしまう可能性が生じるという不具合があった。
【０００７】
本考案は、このような従来からの不具合を解決するためのものであって、その課題は、複数のメモリーカードを、自身の好みごとに分別収納することができ紛失してしまう恐れが少ないメモリーカードケースを提供することにある。
【課題を解決するための手段】
【０００８】
上記課題達成のため、請求項１記載の考案にあっては、薄型方形状のケース本体内に、複数のメモリーカード収納部を画成する複数の枠体を備えたことを特徴とする。
【０００９】
請求項２記載の考案にあっては、上記枠体は互いに交差するように配設されていることを特徴とする。
【００１０】
請求項３記載の考案にあっては、上記枠体は互いに直交するように配設され、各枠体にはメモリーカードに格納された情報を示す表示部が配設可能に形成されていることを特徴とする。
【００１１】
請求項４記載の考案にあっては、上記ケースは、円盤状記録媒体を収納するケースであると共に、上記メモリーカードはＳＤカードであることを特徴とする。
【００１２】
請求項５記載の考案にあっては、上記ＳＤカードはケースに収納されていることを特徴とする。
【００１３】
請求項６記載の考案にあっては、上記各メモリーカード収納部には、ＳＤカード本体を固定しうる係合突起が設けられていることを特徴とする。
【００１４】
請求項７記載の考案にあっては、上記枠体は、四方外端部及び中間部を画成する５本の太径枠体と、上記太径枠体に直交して配設され、メモリーカード収納部を形成する細径枠体とを有することを特徴とする。
【考案の効果】
【００１５】
請求項１記載の考案にあっては、薄型方形状のケース本体内に、複数のメモリーカード収納部を画成する複数の枠体を備えていることで、複数のメモリーカードを整理された状態で収納することができる。
【００１６】
したがって、取り出す際にも、収納されている所望のメモリーカードを誤認することなく取り出す事ができる。
【００１７】
請求項２記載の考案にあっては、上記枠体は互いに交差するように配設されているため、複数のメモリーカード同士が接触し合うことなく整然と配置された状態で収納することができる。
【００１８】
請求項３記載の考案にあっては、上記枠体は互いに直交するように配設されているため、平面方形状の収納部が形成され、直角部分を複数有するメモリーカードを収納する際、確実に上記収納部に収納させることができる。
【００１９】
また、各枠体にはメモリーカードに格納された情報を示す表示部が配設可能に形成されているため、夫々の収納部に収納したメモリーカードの記録内容に対応する表示部を付することができるため、所望の情報が格納されたメモリーカードを確実にかつ素早く取り出す事ができる。
【００２０】
請求項４記載の考案にあっては、上記ケースは、円盤状記録媒体を収納するケースであると共に、上記メモリーカードはＳＤカードであり、不要になった上記ケースを再利用することで、上記ＳＤカードを収納可能な上記ケースを提供することができる。
【００２１】
請求項５記載の考案にあっては、上記ＳＤカードはケースに収納されており、ケースに収納された状態で、上記メモリーカード収納部に収納することができる。
【００２２】
したがって、ＳＤカード本体を上記メモリーカード収納部に収納する際、ＳＤカード本体を傷付けることなく収納することができる。
【００２３】
請求項６記載の考案にあっては、上記各メモリーカード収納部には、ＳＤカード本体を固定しうる係合突起が設けられているため、上記薄型方形状のケースを持ち運びする際、ＳＤカード本体が脱落することを防ぐことができる。
【００２４】
請求項７記載の考案にあっては、上記枠体は、四方外端部及び中間部を画成する５本の太径枠体有しているため、外部からの衝撃があった場合、衝撃から上記ＳＤカードを保護することができる。
【００２５】
また、上記枠体は、上記太径枠体に直交して配設され、メモリーカード収納部を形成する細径枠体とを有しているため、上記枠体へ効率良く複数の上記ＳＤカードを収納することができる。
【図面の簡単な説明】
【００２６】
【図１】本考案に係るメモリーカードケースにおける一実施の形態を示す斜視図である。
【図２】本考案に係るメモリーカードケースにおける一実施の形態を示す斜視図である。
【考案を実施するための最良の形態】
【００２７】
以下、添付図面に示す実施の形態に基づき、本考案を詳細に説明する。
【００２８】
図１に示すように、本実施の形態に係るメモリーカードケース１０は、薄型方形状のケース本体１１内に、複数のメモリーカード収納部１２を画成する複数の枠体１３を備えている。
【００２９】
また、図１に示すように、枠体１３は互いに交差するように配設されている。
【００３０】
また、図１に示すように、枠体１３は互いに直交するように配設され、各枠体１３にはメモリーカード１４に格納された情報を示す表示部１５が配設可能に形成されている。
【００３１】
また、図１に示すように、ケース１０は、円盤状記録媒体を収納するケースであると共に、メモリーカード１４はＳＤカード１４である。
【００３２】
図１に示すように、ＳＤカード１４はケースに収納されている。
【００３３】
図２に示すように、各メモリーカード収納部１２には、ＳＤカード１４本体を固定しうる係合突起１６が設けられている。
【００３４】
また、図１に示すように、枠体１３は、四方外端部１７及び中間部１８を画成する５本の太径枠体１３と、太径枠体１３に直交して配設され、メモリーカード収納部１２を形成する細径枠体１３とを有する。
【実施例１】
【００３５】
以下に、図面を用いて本実施例１について詳細を説明する。
【００３６】
図１に示すように、本実施の形態に係るメモリーカードケース１０は、例えば、市販されているＣＤやＤＶＤ等の円盤状記録媒体が収納されているケースと同一で透明なものである。
【００３７】
また、本実施例においては、メモリーカードケース１０は、１個から最大で６個のＳＤカード１４が収納できるよう、ケース本体１１に６個のメモリーカード収納部１２が設けられている。
【００３８】
図１に示すように、個々のＳＤカード１４は、外層を保護するためのケース１７に収納されている状態でメモリーカードケース１０に収納されている。
【００３９】
図１に示すように、メモリーカードケース１０は、薄型長方形状のケース本体１１内に、９本の細長板状の太径枠体１３a、１３b、１３c、１３d、１３eと、細径枠体１３f、１３g、１３h、１３iで画成されることで形成されうる６個の平面長方形状のメモリーカード収納部１２を備えている。
【００４０】
図１に示すように、５本の太径枠体１３a、１３b、１３c、１３d、１３eは、ケース本体１１の上下左右の外方４辺と、長さ方向に沿って中央を区分する１辺として設けられている。
【００４１】
さらに、４個の細径枠体１３f、１３g、１３h、１３iは、太径枠体１３a、１３b、１３c、１３d、１３eと共に、ケース本体１１内をケース本体１１の幅方向に沿って夫々のメモリーカード収納部１２の外枠を形成しうる４辺として構成されている。
【００４２】
図１に示すように、６個のメモリーカード１４の下方にある各太径枠体１３c、１３eの各表面には、６個のメモリーカード１４に格納された情報が何であるかを記す６つの表示部１５を構成するラベル貼付部１５が設けられている。
【００４３】
以下、本実施の形態に係るメモリーカードケース１０の作用及び効果について説明する。
【００４４】
本実施の形態に係るメモリーカードケース１０は、透明なケースであるため、メモリーカードケース１０が閉じられている場合、開けて中身を確認することなく外からでも各ＳＤカード１４を瞬時に識別することができる。
【００４５】
したがって、例えば、雨の中でＳＤカード１４を取り出す場合、メモリーカードケース１０を開けてＳＤカード１４の識別をしてから取り出そうとするとＳＤカード１４が濡れ故障してしまう可能性があるが、開ける前にＳＤカード１４を識別できるため、雨の中で取り出す場合の故障の可能性を低下させることができる。
【００４６】
各ＳＤカード１４は、外層を保護するためのケースに収納されているため、個々のＳＤカード１４本体を傷付けることなく、メモリーカードケース１０に収納することができる。
【００４７】
また、各メモリーカード収納部１２のサイズに合うケースに収納することができるＳＤカード１４ならば、ミニサイズやマイクロサイズのＳＤカード１４もメモリーカードケース１０に収納することができる。
【００４８】
さらに、メモリーカードケース１０から、ケースに収納されたＳＤカード１４を取り出して、そのまま他の人へ譲渡等することで、簡易な情報共有をすることができる。
【００４９】
メモリーカードケース１０は、各枠体１３a、１３b、１３c、１３d、１３e、１３f、１３g、１３h、１３iによって、夫々のメモリーカード収納部１２を形成するよう画成されているため、個々のＳＤカード１４を見易く、かつ整理し易くなっている。
【００５０】
したがって、複数のＳＤカード１４同士が接触し合うことなく整然と配置された状態で、複数のＳＤカード１４を夫々のメモリーカード収納部１２に収納することができる。
【００５１】
また、メモリーカードケース１０は、ケース本体１１の上下左右の外方４辺と長さ方向に沿って中央を区別する１辺として太径枠体１３a、１３b、１３c、１３d、１３eが構成されていることで、外側からの衝撃を緩衝し易い。
【００５２】
各枠体１３c、１３eには、個々のＳＤカード１４に格納された情報を示すことができるラベル貼付部１５が設けられていることで、個々のＳＤカード１４の中に含まれている情報ごとに整理し収納することができる。
【００５３】
また、個々にＳＤカード１４を取り出す際、どのＳＤカード１４が所望のカードであるかを瞬時に判断可能であるため、誤認することなく取り出すことができる。
【００５４】
また、各枠体１３c、１３eには、ラベル貼付部１５によりラベルの張替えをすることで、異なる情報が格納されているＳＤカード１４を容易に取り替えることができるため、所望のＳＤカード１４だけ集め収納しておくことができる。
【００５５】
さらに、各枠体１３a、１３b、１３dは、ラベル貼付または直接文字を記入可能な余白を有しているので、ラベルの張替えや、文字の書き消しを行なうことで、ラベル貼付部１５にラベルを貼ること以外で、個々のＳＤカード１４の識別をすることができる。
【実施例２】
【００５６】
本実施例に係るメモリーカードケース５０は、図２に示すように、各メモリーカード収納部１２に、ＳＤカード１４本体を着脱自在に固定しうる１６個の係合突起１６が設けられている。
【００５７】
また、図２に示すように、各係合突起１６は、個々のメモリーカード収納部１２を形成する各四辺部の中央に、内側に向って互いに対向するように４つずつ設けられている。
【００５８】
即ち、太径枠体１３b、１３dの内側部には、所定間隔を置いて２つの係合突起１６a、１６aが設けられ、太径枠体１３a、１３cには、所定間隔を置いて３つの係合突起１６b、１６b、１６bが設けられている。
【００５９】
また、太径枠体１３eには両側に夫々、所定間隔を置いて夫々３つの係合突起１６c、１６c、１６cが設けられ、細径枠体１３f、１３g、１３h、１３iには、中間部両側に夫々係合突起１６d、１６dが夫々設けられている。
【００６０】
上記係合突起１６a、１６b、１６c、１６dは夫々メモリーカード収納部１２内に互いに対向するように突出配置されて、ケースに収納されていないＳＤカード１４本体を着脱自在に固定しうるように構成されている。
【００６１】
以下、本実施の形態に係るメモリーカードケース５０の作用及び効果について説明する。
【００６２】
メモリーカードケース５０は、個々のＳＤカード１４を保護するケースが無い場合に、４本の係合突起１６a、１６b、１６c、１６dにより、個々のＳＤカード１４本体を着脱自在に係止することができるので、脱落を防止することができる。
【００６３】
したがって、個々のＳＤカード１４の保護ケースが無い場合、多くのＳＤカード１４本体を持ち運びでき、ＳＤカード１４本体を着脱自在に固定し保護できるメモリーカードケース５０を提供することができる。
【産業上の利用可能性】
【００６４】
本考案に係るメモリカードケースは、ＳＤカードの整理、ＳＤカードに含まれている情報の共有、およびＳＤカードの保護することができ、ＳＤカードに広く適用することができるため、産業上の利用可能性を備えている。
【符号の説明】
【００６５】
１０ メモリーカードケース
１１ ケース本体
１２ メモリーカード収納部
１３a 枠体（太径枠体）
１３b 枠体（太径枠体）
１３c 枠体（太径枠体）
１３d 枠体（太径枠体）
１３e 枠体（太径枠体）
１３f 枠体（細径枠体）
１３g 枠体（細径枠体）
１３h 枠体（細径枠体）
１３i 枠体（細径枠体）
１４ メモリーカード（ＳＤカード）
１５ 表示部（ラベル貼付部）
１６a 係合突起
１６b 係合突起
１６c 係合突起
１６d 係合突起
１７ 四方外端部
１８ 中間部
５０ メモリーカードケース
【図１】
0003182072.tif 000003
【図２】
0003182072.tif 000004